(57)【要約】【課題】インターネット通信での差別化【解決手段】インターネットを介した通信可能な通信装置おいて、宛先情報に対応しＥメールアドレスを登録する手段、宛先情報に登録されているドメイン名をアルファベット順に選択する手段を有し、上記、ドメイン名選択手段により宛先情報に対応し登録されているドメイン名の中から１つのドメイン名を選択後に、ユーザ名を入力する事により選択されたＥメールアドレスへのインターネットを介した通信を実行する。【選択図】　　　　図１
2004005013.tif 000002
【特許請求の範囲】
【請求項１】
インターネットを介した通信可能な通信装置おいて、宛先情報に対応しＥメールアドレスを登録する手段、宛先情報に登録されているドメイン名をアルファベット順に並び替え表示する手段、上記、表示したドメイン名の中から１つのドメインを選択する手段を有し、上記、表示したドメイン名の中から１つのドメイン名を選択後に、ユーザ名を入力する事により選択されたＥメールアドレスへのインターネットを介した通信を実行する事を特徴とする通信装置。
【請求項２】
請求項１の通信装置において、宛先情報への送信を選択時は、その宛先情報に対応し登録されているＥメールアドレスへのインターネットを介した通信を実行する事を特徴とする通信装置。
【請求項３】
請求項１、２において、宛先情報に対応し、同一のドメイン名が複数登録されていても、上記、表示したドメイン名の中から１つのドメインの選択手段により宛先情報に対応し登録されているドメイン名の中から１つのドメイン名の選択が行われたときには、このドメイン名は１回のみ表示する事を特徴とする通信装置。
【請求項４】
請求項１、２、３において、宛先情報に対応し、登録されているＥメールアドレスのドメイン名を、ドメイン名選択手段により宛先情報に対応し登録されているドメイン名の中から１つのドメイン名の選択が行われたときに、選択する対象とするか否かを各宛先情報に対応して登録する手段を有する事を特徴とする通信装置。
【発明の詳細な説明】
【０００１】
【発明の属する技術分野】
本発明は、通信装置、特に、宛先情報に対応してＥメールアドレスを登録する手段を有する通信装置に関するものである。
【０００２】
【従来の技術】
従来の、宛先情報に対応してＥメールアドレスを登録する手段を有する通信装置として、例えば、ファクシミリ装置がある。ファクシミリ装置では、宛先情報、例えば、ワンタッチダイヤルに対応して相手先の電話番号、あるいは、Ｅメールアドレスを登録でき、ワンタッチダイヤルに対応して電話番号が登録されていると、その宛先に接続後、ＰＳＴＮを介したＩＴＵ−Ｔ勧告Ｔ．４、Ｔ．３０、Ｖ３４、Ｖ．１７、Ｖ．２９、Ｖ．２７ｔｅｒに基ずいたファクシミリ通信を実行し、一方、ワンタッチダイヤルに対応し、Ｅメールアドレスが登録されていると、インターネットを介したＴ．３７に基ずいたファクシミリ通信を実行する。
【０００３】
また、携帯電話では、Ｅメールアドレスへダイヤルする時、ｃｏ．ｊｐ、ｎｅ．ｊｐ等の固定情報を表示し、ユーザにその中から一つを選択させる事はしていた。
【０００４】
【発明が解決しようとする課題】
上記、従来例においては、宛先情報、例えば、ワンタッチダイヤルに対応して、登録する宛先への接続は、例えば、ワンタッチダイヤルの押下のみで簡単な操作で接続できる。しかしながら、宛先情報、例えば、ワンタッチダイヤルに登録されていない宛先への接続においては、電話番号、あるいは、Ｅメールアドレスを入力する必要があり、操作が煩雑となる欠点があった。ここで、特に、Ｅメールアドレスの指定は入力桁数も多く、操作が大変であるという欠点があった。
【０００５】
また、携帯電話の方式でのＥメールアドレスの指定では、固定情報のみの表示選択であり、それ以外の情報は入力する手間があるという欠点があった。
【０００６】
【課題を解決するための手段】
第１の本発明によれば、インターネットを介した通信可能な通信装置おいて、宛先情報に対応しＥメールアドレスを登録する手段、宛先情報に登録されているドメイン名をアルファベット順に並び替え表示する手段、上記、表示したドメイン名の中から１つのドメインを選択する手段を有し、上記、表示したドメイン名の中から１つのドメイン名を選択後に、ユーザ名を入力する事により選択されたＥメールアドレスへのインターネットを介した通信を実行する事が可能になった。第２の本発明によれば、第１の本発明において、宛先情報への送信を選択時は、その宛先情報に対応し登録されているＥメールアドレスへのインターネットを介した通信を実行する事が可能になった。第３の本発明によれば、第１、２の本発明において、宛先情報に対応し、同一のドメイン名が複数登録されていても、上記、表示したドメイン名の中から１つのドメインの選択手段により宛先情報に対応し登録されているドメイン名の中から１つのドメイン名の選択が行われたときには、このドメイン名は１回のみ表示する事が可能になった。
【０００７】
これらにより、宛先情報、例えば、ワンタッチダイヤルに対応して登録されているＥメールアドレスを基にして、宛先情報に対応して未登録のＥメールアドレスへの接続を試みる時、極めて、簡単な操作での接続が可能になり、また、このために、新たに、ユーザが他の情報を登録する手間も無く、また、このために、新たにメモリを使用してしまう（資源を消費する）事もなくユーザにはとても使い易くなった。ここで、Ａ会社のＢさん、Ｃさん、ＤさんによくＥメールを送信する場合、Ａ会社のＥさんには簡単操作でＥメールの送信が可能になった。
【０００８】
第４の本発明によれば、第１、２、３の本発明において、宛先情報に対応し、登録されているＥメールアドレスのドメイン名を、ドメイン名選択手段により宛先情報に対応し登録されているドメイン名の中から１つのドメイン名の選択が行われたときに、選択する対象とするか否かを各宛先情報に対応して登録する手段を有する事が可能になった。
【０００９】
これにより、宛先情報を登録する時、この宛先は、完全に個人ユースと判っていて、同一ドメイン名で異なるＥメールアドレスが無いと判断できる（ユーザには、個人ユースか否かと問い合わせて登録をしてもらう）場合、この宛先情報のドメイン名を宛先情報に対応して登録されていない宛先への接続にて使用する事は無いので、ドメイン名選択手段により宛先情報に対応し登録されているドメイン名の中から１つのドメイン名の選択が行われたときに、選択する対象から外すと選択操作が容易になるという利点がある。
【００１０】
【発明の実施の形態】
（実施形態１）
以下、図面に示す実施の形態に基ずいて、本発明を詳細に説明する。
【００１１】
図１には、本発明の実施の形態であるファクシミリ装置がブロック図として図示されている。
【００１２】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１３】
４は、電話機である。
【００１４】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１５】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１６】
１０は、発呼回路であり、バス２６からの信号により、電話番号情報を入力し、信号線１０ａにＤＴＭＦの選択信号を出力する。
【００１７】
１２は、加算回路であり、信号線８ａの情報と信号線１０ａの情報を入力し、加算した結果を信号線１２ａに出力する。
【００１８】
１４は、読取回路であり、読み取りデータをバス２６に出力する。
【００１９】
１６は、記録回路であり、バス２６に出力されている情報を順次１ライン毎に記録する。
【００２０】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納す
るために使用する。
【００２１】
１８には、ワンタッチダイヤルに対応し、相手先の電話番号、あるいは、相手先のＥメールアドレスを登録するメモリがあり、バス２６を介して、例えば、図２（１）に示す様に登録されている。ここで、ワンタッチダイヤル０１には電話番号の宛先、ワンタッチダイヤル０２、０３、０４、０５にはＥメールアドレスが登録されている。ワンタッチダイヤル０２とワンタッチダイヤル０３は同じドメイン名である。
【００２２】
また、１８には、サービスプロバイダの電話番号を登録するメモリがあり、例えば、図２（２）に示す様に登録される。
【００２３】
２０は、操作部であり、ワンタッチダイヤル、短縮ダイヤル、テンキー、＊キー、＃キー、スタートキー、ストップキー、セットキー、ドメイン名選択での送信選択キー、ドメイン名選択キー、決定ボタン、メモリ１８への登録キー、その他のファンクションキーがあり、押下されたキー情報はバス２６に出力される。
【００２４】
操作部には、表示部があり、バス２６に出力されている情報を入力し、表示する。
【００２５】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２６】
２６は、バスである。
【００２７】
２８はサービスプロバイダであり、信号線２８ａを介して、ＰＳＴＮ３０に接続され、信号線２８ｂを介してインターネット３２に接続される。
【００２８】
２４は、インターネットを介した通信可能な通信装置おいて、宛先情報に対応しＥメールアドレスを登録する手段、宛先情報に登録されているドメイン名をアルファベット順に選択する手段を有し、上記、ドメイン名選択手段により宛先情報に対応し登録されているドメイン名の中から１つのドメイン名を選択後に、ユーザ名を入力する事により選択されたＥメールアドレスへのインターネットを介した通信を実行する。ここで、宛先情報への送信を選択時は、その宛先情報に対応し登録されているＥメールアドレスへのインターネットを介した通信を実行する。そして、宛先情報に対応し、同一のドメイン名が複数登録されていても、ドメイン名選択手段により宛先情報に対応し登録されているドメイン名の中から１つのドメイン名の選択が行われたときには、このドメイン名は１回のみ表示する。
【００２９】
以上の制御プログラムが格納されている。
【００３０】
図３、図４、図５には、図１の制御の流れ図が図示されている。
【００３１】
図３において、Ｓ０は、始めを表している。
【００３２】
Ｓ２は、バス２６を介して、メモリ１８をイニシャライズする事を表している。
【００３３】
Ｓ４は、バス２６を介して、操作部の表示部をクリアする事を表している。
【００３４】
Ｓ６では、バス２６を介してＮＣＵ２のＣＭＬをオフする。
【００３５】
Ｓ８では、バス２６を介してワンタッチダイヤルの登録が選択されたか否かが判断され、ＹＥＳであるとＳ１０に進み、バス２６を介してメモリ１８に、ワンタッチダイヤルに対応し、宛先を例えば、図２（１）に示す様に登録し、ＮＯであると、Ｓ１２に進む。
【００３６】
Ｓ１２では、バス２６を介してサービスプロバイダの宛先の登録が選択されたか否かが判断され、ＹＥＳであるとＳ１４に進み、バス２６を介してメモリ１８に、サービスプロバイダの宛先情報を例えば、図２（２）に示す様に登録し、ＮＯであると、Ｓ１６に進む。
【００３７】
Ｓ１６では、送信が選択されたか否かが判断され、ＹＥＳであるとＳ２０に進み、ＮＯであると、Ｓ１８に進み、その他の処理をする。
【００３８】
Ｓ２０では、バス２６を介して操作部の情報を入力し、ドメイン名選択による発呼が選択されたか否かが判断され、ＹＥＳであるとＳ３８に進み、ＮＯであると、Ｓ２２に進む。
【００３９】
Ｓ２２では、バス２６を介して、ＮＣＵ２のＣＭＬをオンする。
【００４０】
Ｓ２４では、バス２６を介して操作部の情報を入力し、ワンタッチダイヤルの押下による選択された宛先はＥメールアドレスであるか否かが判断され、ＹＥＳであるとＳ３４に進み、ＮＯである、すなわち、電話番号であると、Ｓ２６に進む。
【００４１】
Ｓ２６は、バス２６を介して、発呼回路を使用して、指定された電話番号へ発呼する事を表している。
【００４２】
Ｓ２８は前手順を表している。
【００４３】
Ｓ３０は画信号の読み取り、ファクシミリ画信号の送信を表している。
【００４４】
Ｓ３２は後手順を表している。
【００４５】
Ｓ３４は、バス２６を介して、発呼回路を使用して、サービスプロバイダへ発呼する事を表している。
【００４６】
Ｓ３６は、画信号をＴｉｆｆファイルにてＳＭＴＰによりＥメール添付として送信する事を表している。ここで、目的のＥメールアドレスを通知する。
【００４７】
Ｓ３８は、操作部のドメイン名選択ボタンの押下により、送信宛先のドメイン名を選択する事を表している。ここで、決定ボタンでドメイン名の決定をする。図２（１）の様にワンタッチダイヤルに対応し宛先が登録されていると、ｂｂｂ．ｃａｎｏｎ．ｃｏ．ｊｐ−−＞ｅｅｅ．ｃａｎｏｎ．ｃｏ．ｊｐ−−＞
ｇｇｇ．ｃａｎｏｎ．ｃｏ．ｊｐ−−＞ｂｂｂ．ｃａｎｏｎ．ｃｏ．ｊｐとドメイン名選択ボタンの押下に従い表示される。
【００４８】
Ｓ４０は、操作部より、ユーザ名を入力する事を表している。ここで、決定ボタンの押下で、ユーザ名を決定する。
【００４９】
Ｓ４２はＥメールアドレスの認識を表している。
【００５０】
Ｓ４４では、バス２６を介して、ＮＣＵ２のＣＭＬをオンする。
【００５１】
（実施形態２）
実施形態１において、さらに、宛先情報に対応し、登録されているＥメールアドレスのドメイン名を、ドメイン名選択手段により宛先情報に対応し登録されているドメイン名の中から１つのドメイン名の選択が行われたときに、選択する対象とするか否かを各宛先情報に対応して登録する手段を有し、この情報に基ずいてドメイン名の検索をしてもよい。
【００５２】
第２の実施形態においては、メモリ１８には、以下の情報が登録される。
【００５３】
１８には、ワンタッチダイヤルに対応し、相手先の電話番号、あるいは、相手先のＥメールアドレス、さらに、このＥメールアドレスのドメイン名を検索の対象とするか否かを登録するメモリがあり、バス２６を介して、例えば、図６に示す様に登録されている。ここで、ワンタッチダイヤル、宛先までの登録は図２（１）に同じである。ドメイン名選択の対象とするかしないかをワンタッチダイヤルに対応してＥメールアドレスが宛先として登録されている時は、登録できる。ワンタッチダイヤル０４のみしないと登録されている。
【００５４】
図７には、実施形態１の制御の流れ図に対して異なる部分が図示されている。
【００５５】
図７において、Ｓ５０は、Ｓ８のＹＥＳを表している。
【００５６】
Ｓ５２は、バス２６を介してメモリ１８に、ワンタッチダイヤルに対応し、宛先を例えば、図６に示す様に登録する事を表している。
【００５７】
Ｓ５４はＳ１２、Ｓ５６はＳ２０のＹＥＳを表している。
【００５８】
Ｓ５８は、操作部のドメイン名選択ボタンの押下により、送信宛先のドメイン名を選択する事を表している。ここで、決定ボタンでドメイン名の決定をする。図６の様にワンタッチダイヤルに対応し宛先が登録されていると、ｂｂｂ．ｃａｎｏｎ．ｃｏ．ｊｐ−−＞ｇｇｇ．ｃａｎｏｎ．ｃｏ．ｊｐ−−＞
ｂｂｂ．ｃａｎｏｎ．ｃｏ．ｊｐとドメイン名選択ボタンの押下に従い表示される。
【００５９】
Ｓ６０はＳ４０を表している。
【００６０】
【発明の効果】
第１、２、３の本発明によれば、宛先情報、例えば、ワンタッチダイヤルに対応して登録されているＥメールアドレスを基にして、宛先情報に対応して未登録のＥメールアドレスへの接続を試みる時、極めて、簡単な操作での接続が可能になり、また、このために、新たに、ユーザが他の情報を登録する手間も無く、また、このために、新たにメモリを使用してしまう（資源を消費する）事もなくユーザにはとても使い易くなった。ここで、Ａ会社のＢさん、Ｃさん、ＤさんによくＥメールを送信する場合、Ａ会社のＥさんには簡単操作でＥメールの送信が可能になった。
【００６１】
第４の本発明によれば、宛先情報を登録する時、この宛先は、完全に個人ユースと判っていて、同一ドメイン名で異なるＥメールアドレスが無いと判断できる（ユーザには、個人ユースか否かと問い合わせて登録をしてもらう）場合、この宛先情報のドメイン名を宛先情報に対応して登録されていない宛先への接続にて使用する事は無いので、ドメイン名選択手段により宛先情報に対応し登録されているドメイン名の中から１つのドメイン名の選択が行われたときに、選択する対象から外すと選択操作が容易になるという利点がある。
【図面の簡単な説明】
【図１】本発明によるファクシミリ装置の実施形態のブロック図。
【図２】メモリ１８の具体例。
【図３】本発明による制御の流れ図。
【図４】本発明による制御の流れ図。
【図５】本発明による制御の流れ図。
【図６】メモリ１８の具体例。
【図７】本発明による制御の流れ図。
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
２８　サービスプロバイダ
３０　ＰＳＴＮ
３２　インターネット
【図１】
2004005013.tif 000003
【図２】
2004005013.tif 000004
【図３】
2004005013.tif 000005
【図４】
2004005013.tif 000006
【図５】
2004005013.tif 000007
【図６】
2004005013.tif 000008
【図７】
2004005013.tif 000009
【手続補正書】
【提出日】平成15年8月5日(2003.8.5)
【手続補正２】
【補正対象書類名】明細書
【補正対象項目名】特許請求の範囲
【補正方法】変更
【補正の内容】
【特許請求の範囲】
【請求項１】
インターネットを介した通信可能な通信装置において、
宛先情報に対応しＥメールアドレスを登録する手段、
宛先情報に登録されているドメイン名をアルファベット順に並び替え表示する手段、
上記、表示したドメイン名の中から１つのドメインを選択する手段を有し、
上記、表示したドメイン名の中から１つのドメイン名を選択後に、ユーザ名を入力する事により選択されたＥメールアドレスへのインターネットを介した通信を実行する手段を有する事を特徴とする通信装置。
【請求項２】
請求項１の通信装置において、
宛先情報への送信を選択時は、その宛先情報に対応し登録されているＥメールアドレスへのインターネットを介した通信を実行する手段を有する事を特徴とする通信装置。
【請求項３】
請求項１、２において、
上記表示する手段は、宛先情報に対応し、同一のドメイン名が複数登録されていても、上記、表示したドメイン名の中から１つのドメインの選択手段により宛先情報に対応し登録されているドメイン名の中から１つのドメイン名の選択が行われたときには、このドメイン名は１回のみ表示する事を特徴とする通信装置。
【請求項４】
請求項１、２、３において、ドメイン名選択手段により宛先情報に対応し登録されているドメイン名の中から１つのドメイン名の選択が行われたときに、宛先情報に対応し登録されているＥメールアドレスのドメイン名を選択する対象とするか否かを、各宛先情報に対応して登録する手段を有する事を特徴とする通信装置。
【請求項５】
インターネットを介した通信可能な通信装置の制御方法において、
宛先情報に対応しＥメールアドレスを登録する工程、
宛先情報に登録されているドメイン名をアルファベット順に並び替え表示する工程、
上記、表示したドメイン名の中から１つのドメインを選択する工程を有し、
上記、表示したドメイン名の中から１つのドメイン名を選択後に、ユーザ名を入力する事により選択されたＥメールアドレスへのインターネットを介した通信を実行する工程を有する事を特徴とする通信装置の制御方法。
【請求項６】
請求項５の通信装置の制御方法において、
宛先情報への送信を選択時は、その宛先情報に対応し登録されているＥメールアドレスへのインターネットを介した通信を実行する事を特徴とする通信装置の制御方法。
【請求項７】
請求項５、６において、
上記表示する工程は、宛先情報に対応し、同一のドメイン名が複数登録されていても、上記、表示したドメイン名の中から１つのドメインの選択工程により宛先情報に対応し登録されているドメイン名の中から１つのドメイン名の選択が行われたときには、このドメイン名は１回のみ表示する事を特徴とする通信装置の制御方法。
【請求項８】
請求項５、６、７において、ドメイン名選択工程により宛先情報に対応し登録されているドメイン名の中から１つのドメイン名の選択が行われたときに、宛先情報に対応し登録されているＥメールアドレスのドメイン名を選択する対象とするか否かを、各宛先情報に対応して登録する工程を有する事を特徴とする通信装置の制御方法。
【請求項９】
インターネットを介した通信可能な通信装置の制御プログラムにおいて、
宛先情報に対応しＥメールアドレスを登録する工程、
宛先情報に登録されているドメイン名をアルファベット順に並び替え表示する工程、
上記、表示したドメイン名の中から１つのドメインを選択する工程を有し、
上記、表示したドメイン名の中から１つのドメイン名を選択後に、ユーザ名を入力する事により選択されたＥメールアドレスへのインターネットを介した通信を実行する工程を有する事を特徴とする通信装置の制御方法。
【請求項１０】
請求項９の通信装置の制御プログラムにおいて、
宛先情報への送信を選択時は、その宛先情報に対応し登録されているＥメールアドレスへのインターネットを介した通信を実行する事を特徴とする通信装置の制御プログラム。
【請求項１１】
請求項９、１０において、
上記表示する工程は、宛先情報に対応し、同一のドメイン名が複数登録されていても、上記、表示したドメイン名の中から１つのドメインの選択工程により宛先情報に対応し登録されているドメイン名の中から１つのドメイン名の選択が行われたときには、このドメイン名は１回のみ表示する事を特徴とする通信装置の制御プログラム。
【請求項１２】
請求項９、１０、１１において、ドメイン名選択工程により宛先情報に対応し登録されているドメイン名の中から１つのドメイン名の選択が行われたときに、宛先情報に対応し登録されているＥメールアドレスのドメイン名を選択する対象とするか否かを、各宛先情報に対応して登録する工程を有する事を特徴とする通信装置の制御プログラム。
【手続補正３】
【補正対象書類名】明細書
【補正対象項目名】０００１
【補正方法】変更
【補正の内容】
【０００１】
【発明の属する技術分野】
本発明は、通信装置、特に、宛先情報に対応してＥメールアドレスを登録する手段を有する通信装置およびその制御方法とその制御プログラムに関するものである。


【手続補正４】
【補正対象書類名】明細書
【補正対象項目名】０００６
【補正方法】変更
【補正の内容】
【０００６】
【課題を解決するための手段】
第１の本発明（請求項１、５、９）によれば、インターネットを介した通信可能な通信装置において、宛先情報に対応しＥメールアドレスを登録する手段、宛先情報に登録されているドメイン名をアルファベット順に並び替え表示する手段、上記、表示したドメイン名の中から１つのドメインを選択する手段を有し、上記、表示したドメイン名の中から１つのドメイン名を選択後に、ユーザ名を入力する事が可能になった。第２の本発明（請求項２、６、１０）によれば、第１の本発明において、宛先情報への送信を選択時は、その宛先情報に対応し登録されているＥメールアドレスへのインターネットを介した通信を実行する手段を有する事が可能になった。第３の本発明（請求項３、７、１１）によれば、第１、２の本発明において、上記表示する手段は、宛先情報に対応し、同一のドメイン名が複数登録されていても、上記、表示したドメイン名の中から１つのドメインの選択手段により宛先情報に対応し登録されているドメイン名の中から１つのドメイン名の選択が行われたときには、このドメイン名は１回のみ表示する事が可能になった。


【手続補正５】
【補正対象書類名】明細書
【補正対象項目名】０００８
【補正方法】変更
【補正の内容】
【０００８】
第４の本発明（請求項４、８、１２）によれば、第１、２、３の本発明において、ドメイン名選択手段により宛先情報に対応し登録されているドメイン名の中から１つのドメイン名の選択が行われたときに、宛先情報に対応し登録されているＥメールアドレスのドメイン名を選択する対象とするか否かを、各宛先情報に対応して登録する手段を有する事が可能になった。


【手続補正６】
【補正対象書類名】明細書
【補正対象項目名】００６０
【補正方法】変更
【補正の内容】
【００６０】
【発明の効果】
第１、２、３の本発明（請求項１〜３、５〜７、９〜１１）によれば、宛先情報、例えば、ワンタッチダイヤルに対応して登録されているＥメールアドレスを基にして、宛先情報に対応して未登録のＥメールアドレスへの接続を試みる時、極めて、簡単な操作での接続が可能になり、また、このために、新たに、ユーザが他の情報を登録する手間も無く、また、このために、新たにメモリを使用してしまう（資源を消費する）事もなくユーザにはとても使い易くなった。ここで、Ａ会社のＢさん、Ｃさん、ＤさんによくＥメールを送信する場合、Ａ会社のＥさんには簡単操作でＥメールの送信が可能になった。


【手続補正７】
【補正対象書類名】明細書
【補正対象項目名】００６１
【補正方法】変更
【補正の内容】
【００６１】
第４の本発明（請求項４、８、１２）によれば、宛先情報を登録する時、この宛先は、完全に個人ユースと判っていて、同一ドメイン名で異なるＥメールアドレスが無いと判断できる（ユーザには、個人ユースか否かと問い合わせて登録をしてもらう）場合、この宛先情報のドメイン名を宛先情報に対応して登録されていない宛先への接続にて使用する事は無いので、ドメイン名選択手段により宛先情報に対応し登録されているドメイン名の中から１つのドメイン名の選択が行われたときに、選択する対象から外すと選択操作が容易になるという利点がある。